(57)【要約】【課題】集塵装置の各部材は容易に取り外しと組立てができ、かつ組立ての誤装着が防止できる構成を備えた電気掃除機を提供すること。【解決手段】集塵装置６において、上蓋８には、上部フィルタ１２の上方への移動を防止するフィルタ押さえリブ４７と、フィルタ収納部２７の上方への移動を防止する収納部押さえリブ４８と、フィルタ収納部２７に備えた収納位置決め部５２に正規位置での組立て時に嵌合する位置決めリブ４９と、を形成しており、上蓋８の位置決めリブ４９は側面から見た時、集塵装置６の中心軸に対し前後非対称の形状とすることで、上蓋８を不正規位置で組立て時に収納位置決め部５２に嵌合されず、フィルタ収納部２７の収納つまみ部４２と干渉して誤組立を防止する構成としたことで、使用者による組立て誤装着が防止され、常に安定した性能を提供することが可能となる。【選択図】図１０
2014045839.tif 000002
【特許請求の範囲】
【請求項１】
内周面が略円筒状で、吸引された塵埃を含む空気を前記内周面に沿って旋回させて遠心分離した塵埃を捕集する集塵容器と、
前記集塵容器の上方を覆う上蓋と、
前記集塵容器の中央に設けられ遠心分離後の空気を上方へ排気する内筒と、
前記内筒の上部に配置され上方へ排気される空気に含まれる塵埃をさらに捕集する上部フィルタと、
収納つまみ部を有し前記上部フィルタを収納するフィルタ収納部と、で構成される集塵装置において、
前記上蓋には、前記上部フィルタの上方への移動を防止するフィルタ押さえリブと、前記フィルタ収納部の上方への移動を防止する収納部押さえリブと、前記フィルタ収納部に備えた収納位置決め部に正規位置での組立て時に嵌合する位置決めリブと、を形成しており、
前記上蓋の位置決めリブは側面から見た時、前記集塵装置の中心軸に対し前後非対称の形状とすることで、前記上蓋を不正規位置で組立て時に前記収納位置決め部に嵌合されず、前記フィルタ収納部の収納つまみ部と干渉して誤組立を防止する構成とした電気掃除機。
【請求項２】
フィルタ収納部の収納位置決め部を側面から見た時、入口幅が底幅より広い凹溝形状とした請求項１に記載の電気掃除機。
【請求項３】
上蓋の収納部押さえリブに落下防止リブを形成した請求項１または２に記載の電気掃除機。
【請求項４】
上部フィルタにフィルタつまみ部を設け、このフィルタつまみ部に収納誘いリブを形成した請求項１〜３のいずれか１項に記載の電気掃除機。
【請求項５】
上部フィルタのフィルタつまみ部と、フィルタ収納部の収納つまみ部とが互いに重ならない位置に設けた請求項４に記載の電気掃除機。
【発明の詳細な説明】
【技術分野】
【０００１】
本発明は、機外から吸い込んだ捕集対象物を旋回させることで、空気と塵埃を遠心分離させて捕集するサイクロン式の集塵装置を備えた電気掃除機に関するものである。
【背景技術】
【０００２】
従来より、この種の電気掃除機は、遠心分離した塵埃を捕集する集塵容器と、前記集塵容器の上方を覆う上蓋と、前記集塵容器の中央に設けられた内筒と、前記内筒の上部に配置され上方へ排気される空気に含まれる塵埃をさらに捕集する上部フィルタとで構成され、それぞれの部材が取り外し可能でメンテナンスができる構成となっている。捕集物が遠心分離される為には、各部材が正しく組まれている事が必要であり、また容易に取り外しと組立てができる構成が求められていた（例えば、特許文献１参照）。
【先行技術文献】
【特許文献】
【０００３】
【特許文献１】特開２０１１−２５０８３３号公報
【発明の概要】
【発明が解決しようとする課題】
【０００４】
しかしながら、前記従来の構成では、組み付けが不十分であっても気付かずに使用されるケースがあり、誤装着であっても無理な荷重を加えた事で誤った状態の組立てが行われ、その後の取り外しができなくなることがあり、本来の性能を損ないながらも気付かずに使用されるケースがあった。
【０００５】
本発明は、前記従来の課題を解決するもので、各部材は容易に取り外しと組立てができる様になっており、誤った組立てをした場合は、その後の組み付けができなくなることで誤装着であることを使用者に認識させることができる電気掃除機を提供することを目的とする。
【課題を解決するための手段】
【０００６】
前記従来の課題を解決する為に、本発明の電気掃除機は、遠心分離した塵埃を捕集する集塵容器と、前記集塵容器の上方を覆う上蓋と、前記集塵容器の中央に設けられた内筒と、前記内筒の上部に配置され上方へ排気される空気に含まれる塵埃をさらに捕集する上部フィルタとで構成され、各部材同士が容易に取り外しできる様つまみ部を形成している。
【０００７】
また各部材が正しく組立てられる様に、各部材に位置決め用のリブが形成されており互いに位置関係が規制されている。また、前記上蓋には、前記内筒が上方への移動を防止する収納押さえリブと、位置関係を規制する位置決めリブが形成され、前記上蓋は前記内筒と決められた位置で組立てことが可能となる。また前記上蓋の位置決めリブは側面から見た時、前記集塵装置の中心軸に対し前後非対称の形状とすることにより、誤組立てによる装着を防止する役割をも併せ持つ。
【０００８】
これによって、前記内筒と前記集塵容器は決めされた位置に収納され、前記上部フィルタは前記内筒の決められた位置に収納され、前記上蓋は前記集塵容器と決められた位置で組み付けることが可能となる。また誤組立てによる装着が防止されることで常に安定した性能を提供するが可能となる。
【発明の効果】
【０００９】
本発明の電気掃除機は、集塵装置の各部材は容易に取り外しと組み付けができる様になっており、誤った組み付けをした場合は、その後の組立てができなくなることで誤装着であることを使用者に認識させることができる。
【図面の簡単な説明】
【００１０】
【図１】本発明の実施の形態１における集塵装置を備えた電気掃除機の全体斜視図
【図２】同集塵装置の全体斜視図
【図３】同集塵装置の中央断面図
【図４】図２におけるＡ−Ａ断面図
【図５】同集塵装置の除塵手段を含む上蓋を外した状態の全体斜視図
【図６】同集塵装置の除塵手段を含む上蓋及び上部フィルタを外した状態の上面図
【図７】同集塵装置の内部構成を示す分解斜視図
【図８】同集塵装置の除塵手段を含む上蓋の斜視図
【図９】同集塵装置の除塵手段を含む上蓋の要部断面図
【図１０】同集塵装置の上蓋の構成を含む全体斜視図
【発明を実施するための形態】
【００１１】
第１の発明は、内周面が略円筒状で、吸引された塵埃を含む空気を前記内周面に沿って旋回させて遠心分離した塵埃を捕集する集塵容器と、前記集塵容器の上方を覆う上蓋と、前記集塵容器の中央に設けられ遠心分離後の空気を上方へ排気する内筒と、前記内筒の上部に配置され上方へ排気される空気に含まれる塵埃をさらに捕集する上部フィルタと、収納つまみ部を有し前記上部フィルタを収納するフィルタ収納部と、で構成される集塵装置において、前記上蓋には、前記上部フィルタの上方への移動を防止するフィルタ押さえリブと、前記フィルタ収納部の上方への移動を防止する収納部押さえリブと、前記フィルタ収納部に備えた収納位置決め部に正規位置での組立て時に嵌合する位置決めリブと、を形成しており、前記上蓋の位置決めリブは側面から見た時、前記集塵装置の中心軸に対し前後非対称の形状とすることで、前記上蓋を不正規位置で組立て時に前記収納位置決め部に嵌合されず、前記フィルタ収納部の収納つまみ部と干渉して誤組立を防止する構成とした。
これにより、前記上蓋に設けた位置決めリブが前記フィルタ収納部との位置を規制することになり、前記上蓋を不正規位置にて組立てようとした時、前記位置決めリブが前記フィルタ収納部の収納つまみ部と当接して、使用者による誤組立てによる装着が防止され、常に安定した性能を提供することが可能となる。
【００１２】
第２の発明は、特に、第１の発明のフィルタ収納部の収納位置決め部を側面から見た時、入口幅が底幅より広い凹溝形状としたことにより、前記上蓋に設けた位置決めリブが、前記フィルタ収納部の収納位置決め部の凹溝へ誘い込まれるようになり、前記上蓋を前記集塵容器に対して正規位置に組立て易くすることができる。
【００１３】
第３の発明は、特に、第１または第２の発明の上蓋の収納部押さえリブに落下防止リブを形成したことにより、尾錠の片掛かりによる状態で上蓋を持ち上げた時でも落下防止リブがフィルタつまみ部と引っ掛り集塵容器の落下を防止することとなり、使用者による誤組立てによる集塵容器の落下による破損を未然に防ぐことができる。
【００１４】
第４の発明は、特に、第１〜３の発明の上部フィルタにフィルタつまみ部を設け、このフィルタつまみ部に収納誘いリブを形成したことにより、前記上蓋は前記除塵部材と共に誘われて前記集塵容器に装着されることで、前記集塵容器に対して正規位置に組立て易くすることができる。
【００１５】
第５の発明は、特に、第４の発明の上部フィルタのフィルタつまみ部と、フィルタ収納
部の収納つまみ部とが互いに重ならない位置に設けたことで、各部材は容易に取り外しと組立てができる。
【００１６】
以下、本発明の実施の形態について、図面を参照しながら説明する。なお、この実施の形態によってこの発明が限定されるものではない。
【００１７】
（実施の形態１）
本発明の第１の実施の形態における電気掃除機について図１〜１０を用いて説明する。図１は、本発明の第１の実施の形態における集塵装置を備えた電気掃除機の全体斜視図、図２は同集塵装置の全体斜視図、図３は同集塵装置の中央断面図、図４は図２におけるＡ−Ａ断面図、図５は同集塵装置の除塵手段を含む上蓋を外した状態の全体斜視図、図６は同集塵装置の除塵手段を含む上蓋及び上部フィルタを外した状態の上面図、図７は同集塵装置の内部構成を示す分解斜視図、図８は同集塵装置の除塵手段を含む上蓋の斜視図、図９は同集塵装置の除塵手段を含む上蓋の要部断面図、図１０は同集塵装置の上蓋の構成を含む要部断面による全体斜視図である。
【００１８】
本実施の形態における集塵装置を用いた電気掃除機は、図１に示すように、電気掃除機本体１と、前記電気掃除機本体１の前方に設けた吸入口に接続されるホース２と、前記ホース２の先端に設けられた接続パイプ３と、前記接続パイプ３に接続される延長管４と、延長管４の先端に設けられ塵埃を吸引する開口部（図示せず）を有する吸込具５からなり、前記電気掃除機本体１には、塵埃を吸引する為の吸引風を発生させる電動送風機（図示せず）と、塵埃を集塵する集塵装置６が内蔵されている。
【００１９】
前記集塵装置６は、図２〜１０に示すように、外郭は吸引した塵埃を捕集する集塵容器７と、前記集塵容器７の上面を覆い、前記集塵容器７に着脱自在に構成された上蓋８と、前記集塵容器７の下面を覆い、前記集塵容器７に回動自在に軸支した底蓋９とから構成されている。
【００２０】
前記上蓋８には、持ち運び用の把手部１０を回動自在に軸支すると共に、前記集塵容器７に前記上蓋８を保持固定する尾錠１１を側面２箇所に軸支している。また、集塵装置６内部に設けている比較的細かい塵埃を捕集する上部フィルタ１２に付着した塵埃を除去する除塵部材１３を操作する操作部材１４を前記上蓋８上方に回動自在に設けている。
【００２１】
前記集塵容器７は、略中央部分の径を他より小さくしている略円筒形状で形成すると共に、前記中央部分には吸引した塵埃を前記集塵容器７内に導く吸気口１５と、前記集塵容器７内部を清掃する為のお手入れブラシ１６を保持するブラシ保持部１７とを形成し、その近傍に前記底蓋９の開放時に操作する操作レバー１８を設けている。前記吸気口１５は、前記集塵容器７の接線方向に向くように形成されている。
【００２２】
前記底蓋９には、前記集塵容器７との閉状態を保持する係止部１９を形成し、前記集塵容器７との気密性を保持する環状の底蓋パッキン２０を設けている。
【００２３】
前記集塵装置６内部には、遠心分離した塵埃を前記集塵容器７の底部に捕集する為の傘部２１と略円筒状のリブ体２２を備えた捕集部材２３と、前記傘部２１上方に位置し、捕集した塵埃が底部から舞い上がるのを防止する為の遮蔽部材２４と、塵埃を分離した後の空気を前記集塵容器７上方へ導く内筒開口部２５を有する内筒２６と、前記上部フィルタ１２を収納するフィルタ収納部２７とを設け、それぞれは爪嵌合にて保持固定され、前記集塵容器７と略同心円状に配置している。前記内筒２６はメッシュ状の内筒フィルタ２８で前記内筒開口部２５を覆っている。なお、前記内筒フィルタ２８の代わりに前記内筒開口部２５をメッシュ状の孔として形成してもよい。
【００２４】
前記捕集部材２３の中央には、前記上部フィルタ１２から除塵された塵埃を前記集塵容器７底部に誘導する底筒部２９を形成し、前記底蓋９との気密性を保持する中央底パッキン３０を前記底蓋９に設けている。
【００２５】
また、前記フィルタ収納部２７の下面には、前記フィルタ収納部２７と前記集塵容器７の気密性を保持する環状の収納部パッキン３１を設け、前記上部フィルタ１２の側面上方には、前記上部フィルタ１２と前記フィルタ収納部２７及び前記上蓋８の気密性を保持する環状のフィルターパッキン３２を設けている。
【００２６】
また、前記上蓋８内部には、プリーツ状に形成した前記上部フィルタ１２の上方に前記除塵部材１３を前記上部フィルタ１２の吸引風下流側の折部３３の頂点同士を結んだ仮想の面に対し、略垂直方向に摺動自在に設け、前記操作部材１４と前記除塵部材１３を連結する連結部材３４を、前記除塵部材１３と前記上蓋８を介して前記操作部材１４にネジ３５にて締め付け固定し前記操作部材１４と共に回動自在としている。
【００２７】
また、前記除塵部材１３と前記上蓋８との間に前記除塵部材１３を前記上部フィルタ１２方向へ付勢するコイルバネ等の弾性体３６を略中央に設け、前記除塵部材１３を前記上部フィルタ１２に当接させている。前記上部フィルタ１２が無い状態での前記除塵部材１３の摺動範囲は、正規に組み立てられた集塵装置６内において、前記上部フィルタ１２と当接している状態での摺動範囲より大きくなるような構成としている。
【００２８】
前記連結部材３４には前記除塵部材１３を前記上部フィルタ１２から離間させる方向に誘導し傾斜面を有する凸部３７を周方向に複数個所（ここでは１２箇所）並べて形成し、前記除塵部材１３には前記凸部３７と当接する山部３８を前記凸部３７より少ない個数（ここでは３箇所）で均等な間隔を設けて形成している。また、前記除塵部材１３は略円状かつ前記上部フィルタ１２の上面の半分以上を覆うように形成している。
【００２９】
前記操作部材１４の前記ネジ３５締付部近傍には、前記上蓋８との気密性を保持する環状の操作部パッキン３９を設け、前記上蓋８の後方には前記上部フィルタ１２上方の空間と電動送風機を連通する吸引通路４０を形成している。
【００３０】
前記上部フィルタ１２の側面上端には前記フィルタ収納部２７から取り出す時に使用するフィルタつまみ部４１を形成し、前記フィルタ収納部２７の側面上端には前記集塵容器７から取り出す時に使用する収納つまみ部４２を形成し、前記フィルタつまみ部４１の位置と前記収納つまみ部４２の位置はお互いに重ならない位置に設けている。
【００３１】
さらに、前記上部フィルタ１２の側面外周部の一部に前記フィルタ収納部２７との位置決め用に位置規制リブ４３を形成し、前記フィルタ収納部２７に前記位置規制リブ４３と係合する凹部４４を形成している。また、前記フィルタ収納部２７の側面外周部の一部に前記集塵容器７との位置関係を規制する収納規制リブ４５を形成し、前記集塵容器７には前記収納規制リブ４５と係合する係合リブ４６を形成している。
【００３２】
また、前記上蓋８には、前記上部フィルタ１２の上方への移動を防止するフィルタ押さえリブ４７と、前記フィルタ収納部２７の上方への移動を防止する収納部押さえリブ４８と、前記フィルタ収納部２７との位置関係を規制する位置決めリブ４９を形成している。
【００３３】
前記フィルタ収納部２７の前記収納つまみ部４２には、側面から見た時、前記上蓋の位置決めリブ４９が誘い込まれるようにする入口幅が底幅より広い凹溝形状の収納位置決め部５２が設けられている。そうすることで前記上蓋８は前記集塵容器７と正規位置で組立
て易くすることができる。
【００３４】
また、前記位置決めリブ４９は、側面から見た時、前記集塵装置６の中心軸に対し前後非対称の形状とすることにより、前記上蓋８を不正規位置にて組立てようとした時のみ前記収納つまみ部４２と当接して誤組立を防止する誤組立防止リブとしての役割をも併せ持つ。
【００３５】
また、前記上蓋８には前記尾錠１１の片掛かりにより前記集塵容器７の落下を防止する為の落下防止リブ５１を左右対称位置に形成している。また、前記上部フィルタ１２の前記フィルタつまみ部４１に収納誘いリブ５３を形成しており、前記上蓋８は前記除塵部材と共に誘われて前記集塵容器７に装着される。
【００３６】
さらに、前記集塵容器７と前記底蓋９と前記捕集部材２３は少なくともその一部が可視性を有する材料にて形成している。
【００３７】
以上のように構成された電気掃除機について、以下その動作、作用を説明する。
前記吸込具５から吸い込まれる塵埃を含んだ空気は、前記延長管４、前記ホース２を経由して、前記吸気口１５から前記集塵装置６に吸い込まれる。前記吸気口１５は前記集塵容器７の接線方向に向くように形成されているので、吸い込まれた空気は前記集塵容器７の内周面に沿って旋回し、塵埃と空気とに遠心分離される。
【００３８】
分離された塵埃は、前記集塵容器７の下方、或いは前記捕集部材２３と前記底蓋９の間の空間に蓄積していき、塵埃を分離された空気は前記内筒開口部２５を通過し、前記上部フィルタ１２へ流入する。前記上部フィルタ１２へ流入した空気にも僅かながら分離しきれなかった非常に細かい塵埃が含まれており、前記上部フィルタ１２の上流側の面にてその塵埃を捕集している。前記上部フィルタ１２を通過した塵埃を含まない空気は前記上蓋８に形成した前記吸引通路４０を通って、電動送風機に吸引され、電気掃除機本体１の外に排気される。
【００３９】
前記上部フィルタ１２で捕集された塵埃を除去するには、前記操作部材１４を回動することにより、前記操作部材１４とネジ３５で固定されている前記連結部材３４及び前記凸部３７も回動し、前記凸部３７の傾斜面に前記除塵部材１３に形成した前記山部３８が当接し傾斜面に沿って乗り上げるように動作することで、前記除塵部材１３は前記弾性体３６の付勢に反して前記上部フィルタ１２から離間する方向へ摺動し、前記山部３８が前記凸部３７を乗り越えると前記弾性体３６の付勢により前記上部フィルタ１２に当接し、衝撃を与えることで前記上部フィルタ１２に付着した塵埃を除去することができる。
【００４０】
ここで除去された塵埃は、前記内筒２６の内側を通り前記底筒部２９の内部に落下し蓄積される。集塵装置６に蓄積した塵埃は、前記操作レバー１８を下方に摺動することにより、前記底蓋９に設けた係止部１９が動作して前記集塵容器７との係止が解除され、前記底蓋９が開放することで、前記集塵容器７下方や前記底筒部２９内部に蓄積した塵埃は集塵装置６外部へ排出される。
【００４１】
前記上部フィルタ１２や前記内筒フィルタ２８、前記集塵容器７、前記捕集部材２３などに付着した細かい塵埃等をお手入れをしたい時には、前記お手入れブラシ１６を前記ブラシ保持部１７から外し、ブラシ部分や柄の部分にてお手入れが可能である。
【００４２】
まず、前記集塵装置６を電気掃除機本体１から取り外し、前記上蓋８に軸支している前記尾錠１１を外側に開くようにして前記集塵容器７から外し、前記把手部１０を持って前記上蓋８を前記集塵容器７から取り外す。この時、前記除塵部材１３などの除塵手段を構
成する各部品も前記上蓋８と一体で取り外される。
【００４３】
次に、前記上部フィルタ１２は、前記フィルタつまみ部４１を掴んで持ち上げると取り出すことができる。さらに、前記フィルタ収納部２７は、前記収納つまみ部４２を掴んで持ち上げると前記内筒２６及び前記捕集部材２３と共に取り出すことができる。
【００４４】
各部品のお手入れ後には、前記フィルタ収納部２７の前記収納規制リブ４５を前記集塵容器７の前記係合リブ４６に合わせて上から挿入し、前記上部フィルタ１２の前記位置規制リブ４３を前記フィルタ収納部２７の凹部４４に合わせて前記上部フィルタ１２を挿入する。最後に、除塵手段が組まれた前記上蓋８を前記集塵容器７に装着して前記尾錠１１にて係止し、集塵装置６を電気掃除機本体１に収納する。
【００４５】
以上のように、本実施の形態においては、前記フィルタ収納部２７の収納位置決め部５２と前記上蓋８の位置決めリブ４９を側面から見た時、前記集塵装置の中心軸に対し前後非対称の形状とすることにより、前記上蓋８は前記集塵容器７と決められた位置で組み付けることとなり、前記上蓋８を不正規位置で組立てようとした時は、前記上蓋８の位置決めリブ４９が前記収納つまみ部４２と干渉し、前記尾錠１１の係止が不可能になる為、前記上蓋８の誤組立を防止することができる。
【００４６】
また前記フィルタ収納部２７の収納位置決め部５２を入口幅が底幅より広い凹溝形状とすることで、前記上蓋８の位置決めリブ４９が誘い込まれるように装着ができる。
【００４７】
また、前記上部フィルタ１２の前記フィルタつまみ部４１に前記収納誘いリブ５３を形成することで、前記上蓋８は前記除塵部材と共に誘われて前記集塵容器７に装着される。
【００４８】
また、前記フィルタつまみ部４１の位置と前記収納つまみ部４２の位置はお互いに重ならない位置に設けているので、各つまみ部を掴む時にお互いが邪魔にならず容易に取り出すことができる。
【００４９】
また、前記上蓋８を前記集塵容器７から取り外すと、前記上部フィルタ１２や前記フィルタ収納部２７は前記集塵容器７から上下方向に持ち上げたり、挿入したりするだけで着脱が可能なので、集塵装置６の分解や組立が容易にでき、使い勝手を向上できる。
【００５０】
また、各部材に位置決めリブと収納部を設けることで、前記内筒と前記集塵容器は決めされた位置に収納され、前記上部フィルタは前記内筒の決められた位置に収納され、前記上蓋は前記集塵容器と決められた位置で組み付けることにより、常に安定した性能を提供することが可能となる。
【００５１】
また、前記上蓋８の落下防止リブ５１を形成することにより、前記尾錠１１の片掛かりによる前記集塵容器の落下を防止することができる。また、前記上蓋８には、前記上部フィルタ１２の上方への移動を防止するフィルタ押さえリブ４７と、前記フィルタ収納部２７の上方への移動を防止する収納部押さえリブ４８と、前記フィルタ収納部２７との位置関係を規制する位置決めリブ４９を形成したことにより、前記フィルターパッキン３２と前記収納部パッキン３１と前記中央底パッキン３０における気密性の保持を確実に行うことができる。
【００５２】
また、操作部材１４の回転動作に連動して前記除塵部材１３が前記上部フィルタ１２方向に往復動作するようにしたことにより、操作部材１４の操作で前記上部フィルタ１２に繰り返し衝撃を与えることができるので、操作部材１４の少ない回動操作でも高い除塵効果が得られ、使い勝手を向上できる。
【００５３】
また、前記除塵部材１３を往復動作させる前記連結部材３４に前記凸部３７を周方向に複数個所並べて形成したことにより、前記操作部材１４の回転操作１回に対し前記凸部３７の個数と同じ回数の衝撃を上部フィルタ１２に与えることができるので、操作部材１４の少ない回動操作でも高い除塵効果が得られ、使い勝手を向上できる。
【００５４】
また、前記除塵部材１３は略円状かつ前記上部フィルタ１２の上面の半分以上を覆うように形成することにより、上部フィルタ１２の折部３３の広い範囲に同時に衝撃を与えることができるので、操作部材１４の少ない回動操作でも高い除塵効果が得られ、使い勝手を向上できる。
【００５５】
また、前記除塵部材１３には前記山部３８を前記凸部３７より少ない個数で形成していることにより、前記凸部３７と前記山部３８の当接による磨耗を極力少なくすることができ、耐久性を持続できる。特に前記操作部材１４の操作力に影響する前記凸部３７の傾斜面の磨耗を抑制できる。
【００５６】
また、前記山部３８を均等な間隔を設けて形成していることにより、前記凸部３７と前記山部３８が当接する箇所それぞれが同じタイミングで当接するので前記除塵部材１３が均等にバランス良く摺動して広い範囲に同時に衝撃を与えることができるので、上部フィルタ１２を効率的に除塵することができる。
【００５７】
また、前記操作部材１４は集塵装置６外部から操作できるので、集塵装置６に蓄積した塵埃を外部に排出しなくても、前記操作部材１４を操作し前記上部フィルタ１２に付着した塵埃を除去すれば、前記上部フィルタ１２の目詰まりが解消され、吸込力の低下を防止することができる。また、使用者が操作部材１４を操作したい時にいつでも操作できるので、使い勝手を向上できる。
【００５８】
上部フィルタ１２の除塵手段を構成する主な部品としては、操作部材１４と連結部材３４と弾性体３６と除塵部材１３であり、従来の除塵手段の部品構成と比較して部品点数の削減ができると共に軽量化が図れる。
【００５９】
また、前記内筒２６の下部には、前記捕集部材２３に形成した前記傘部２１、前記リブ体２２及び前記遮蔽部材２４を設けており、前記底蓋９から見ると、上方に防護壁が形成されたようになるので、前記底蓋９付近に蓄積した塵埃が前記内筒開口部２５に舞い上がるのを防止することができる。
【００６０】
また、前記上部フィルタ１２には、除塵手段を構成する部品が付いていないので、容易にお手入れができる。
【００６１】
また、前記集塵容器７と前記底蓋９と前記捕集部材２３は少なくともその一部が可視性を有する材料にて形成しているので、集塵装置６内部に蓄積した塵埃の量が確認でき、使用者がごみ捨ての時期を容易に判断できる。
【００６２】
また、本実施の形態では前記上蓋８の収納部押さえリブ４８がない場合においても、位置決めリブ４９が前記フィルタ収納部を押さえる事で収納押さえリブとしての役割も持ち、前記誤組立防止リブとしての役割と併せ持つことができる。
【００６３】
また、本実施の形態では前記フィルタ収納部２７の収納位置決め部５２の凹溝形状の深さを大きくし、前記上蓋８の位置決めリブ４９との掛代を大きくすることにより、使用者にとっては、前記上蓋は前記集塵容器と決められた位置で組み付けることがわかり易くな
る。また誤組立てによる装着が防止されることで常に安定した性能を提供するが可能となる。
【００６４】
なお、本実施の形態では前記フィルタ収納部２７の収納位置決め部５２と前記上蓋８の位置決めリブ４９は左右の２箇所に形成しているが、前後の２箇所においても同様の効果が得られるものである。
【産業上の利用可能性】
【００６５】
以上のように、本発明にかかる電気掃除機は、上蓋に設けた位置決めリブが誤組立防止リブの役割を併せ持つことが可能となり、使い勝手を向上できるので、家庭用や業務用の電気掃除機等の用途に適用できる。
【符号の説明】
【００６６】
１  電気掃除機本体
６  集塵装置
７  集塵容器
８  上蓋
１２  上部フィルタ
２６  内筒
２７  フィルタ収納部
４１  フィルタつまみ部
４２  収納つまみ部
４７  フィルタ押さえリブ
４８  収納部押さえリブ
４９  位置決めリブ
５１  落下防止リブ
５２  収納位置決め部
５３  収納誘いリブ
【図２】
2014045839.tif 000003
【図６】
2014045839.tif 000004
【図９】
2014045839.tif 000005
【図１】
2014045839.tif 000006
【図３】
2014045839.tif 000007
【図４】
2014045839.tif 000008
【図５】
2014045839.tif 000009
【図７】
2014045839.tif 000010
【図８】
2014045839.tif 000011
【図１０】
2014045839.tif 000012